(57)【特許請求の範囲】
【請求項１】
直列に接続された複数の二次電池のうち対応する二次電池の電圧で動作する電池保護ＩＣを二次電池毎に備える、電池保護回路であって、
前記複数の二次電池の最大電圧が入力され、前記電池保護ＩＣの出力端子から供給される制御信号によって、定電圧を生成する定電圧出力部を備え、
前記最大電圧は、前記電池保護ＩＣに供給される電源電圧よりも高い、電池保護回路。
【請求項２】
前記定電圧出力部は、前記定電圧を前記制御信号に従って生成する定電圧生成部を有する、請求項１に記載の電池保護回路。
【請求項３】
前記定電圧出力部は、前記定電圧生成部を前記制御信号毎に有する、請求項２に記載の電池保護回路。
【請求項４】
前記定電圧出力部は、前記定電圧が所定値を超えると、前記定電圧の出力を停止する、請求項１から３のいずれか一項に記載の電池保護回路。
【請求項５】
前記定電圧で動作する負荷を備える、請求項１から４のいずれか一項に記載の電池保護回路。
【請求項６】
前記負荷は、温度検出部を含む、請求項５に記載の電池保護回路。
【請求項７】
前記電池保護ＩＣは、前記温度検出部によって検出された温度を用いて、前記複数の二次電池を保護する、請求項６に記載の電池保護回路。
【請求項８】
請求項１から７のいずれか一項に記載の電池保護回路と、
前記複数の二次電池に流れる電流を該電池保護回路の制御出力に従って遮断する遮断部とを備える、電池保護装置。
【請求項９】
請求項８に記載の電池保護装置と、前記複数の二次電池とを備える、電池パック。
【発明の詳細な説明】
【技術分野】
【０００１】
本発明は、直列に接続された複数の二次電池を保護する電池保護回路及び電池保護装置に関する。また、該電池保護装置を備える電池パックに関する。
【背景技術】
【０００２】
図１は、二次電池１７０の電圧で動作する電池保護ＩＣ１１０を示した図である。電池保護ＩＣ１１０は、電池保護ＩＣ１１０外部の負荷１４０に電力を供給可能なレギュレータ１１８を内蔵している。したがって、二次電池１７０から供給される電力は、電池保護ＩＣ１１０、レギュレータ１１８及び負荷１４０で消費される。
【０００３】
なお、レギュレータを内蔵する電池保護ＩＣに関する先行技術文献として、例えば特許文献１が知られている。
【先行技術文献】
【特許文献】
【０００４】
【特許文献１】特開２００５−１５１６９６号公報
【発明の概要】
【発明が解決しようとする課題】
【０００５】
ところが、複数の二次電池が直列に接続された構成では、レギュレータ内蔵の電池保護ＩＣを二次電池毎に備えると、レギュレータの入出力の接続形態によっては、二次電池間の容量バランスが崩れやすくなる場合がある。
【０００６】
例えば図２の構成の場合、二次電池１５０の放電電流は負荷１４０を経由するのに対し、二次電池１６０の放電電流は負荷１４０を経由しないため、二次電池１５０の電圧は、二次電池１６０に比べて低下しやすい。その結果、二次電池１５０と１６０との間の容量バランスが崩れやすくなる。
【０００７】
なお、ＶＤＤ−ＶＳＳ間の電圧で動作する電池保護ＩＣに内蔵されるレギュレータの入出力間の電圧は、ＶＤＤ−ＶＳＳ間の電圧以下にする必要がある。そのため、例えば図３のような構成では、下段のレギュレータ１１８の入力電圧は、ＶＤＤ電圧を超えるため、レギュレータ１１８内のトランジスタ等の寄生素子が動作するおそれがある。
【０００８】
そこで、本発明は、直列に接続された二次電池間の容量バランスが崩れにくい、電池保護回路及び電池保護装置、並びに電池パックの提供を目的とする。
【課題を解決するための手段】
【０００９】
上記目的を達成するため、本発明は、
直列に接続された複数の二次電池のうち対応する二次電池の電圧で動作する電池保護ＩＣを二次電池毎に備える、電池保護回路であって、
前記複数の二次電池の最大電圧が入力され、前記電池保護ＩＣの出力端子から供給される制御信号によって、定電圧を生成する定電圧出力部を備え、
前記最大電圧は、前記電池保護ＩＣに供給される電源電圧よりも高い、電池保護回路及び電池保護装置、並びに電池パックを提供するものである。
【発明の効果】
【００１０】
本発明によれば、直列に接続された二次電池間の容量バランスが崩れにくい。
【図面の簡単な説明】
【００１１】
【図１】電池保護ＩＣの一使用例を示した図である。
【図２】電池保護ＩＣの一使用例を示した図である。
【図３】電池保護ＩＣの一使用例を示した図である。
【図４】本発明の一実施形態である電池パックの構成図である。
【図５】電池パックの構成の第１の具体例である。
【図６】電池パックの構成の第２の具体例である。
【発明を実施するための形態】
【００１２】
以下、本発明の実施形態を図面に従って説明する。
【００１３】
図４は、本発明の一実施形態である電池パック１００の構成図である。電池パック１００は、負荷接続端子５，６に接続される外部負荷９０に電力を供給可能な二次電池７０と、二次電池７０を保護する保護モジュール８０とを内蔵する。電池パック１００は、外部負荷９０に内蔵されてもよいし、外付けされてもよい。外部負荷９０の具体例として、電動工具、電動アシスト自転車、電動バイクなどの機器が挙げられる。
【００１４】
二次電池７０は、負荷接続端子５，６に接続される不図示の充電器によって充電可能である。二次電池７０の具体例として、リチウムイオン電池やニッケル水素電池などが挙げられる。二次電池７０は、直列に接続された複数の組電池（図４には、２つの組電池５０，６０を例示）から構成されている。
【００１５】
組電池５０は、複数のセル５１〜５５の直列回路から構成され、組電池６０は、複数のセル６１〜６５の直列回路から構成されている。組電池５０の正極は、セル５１の正極に接続され、組電池５０の負極は、セル５５の負極に接続され、組電池６０の正極は、セル６１の正極に接続され、組電池６０の負極は、セル６５の負極に接続されている。
【００１６】
保護モジュール８０は、負荷接続端子５と、負荷接続端子６と、セル接続端子３，４，７とを備える電池保護装置である。セル接続端子３は、負荷接続端子５に電源経路９ａを介して繋がり、セル接続端子４は、負荷接続端子６に電源経路９ｂを介して繋がる。セル接続端子７は、電源経路９ｃを介して、後述の電池保護ＩＣ１０の端子１５及び電池保護ＩＣ２０の端子２３に繋がる。セル接続端子３は、組電池６０の正極に接続され、セル接続端子４は、組電池５０の負極に接続される。セル接続端子７は、組電池６０の負極及び組電池５０の正極に接続される。
【００１７】
保護モジュール８０は、トランジスタ１，２を備える。トランジスタ１は、組電池５０及び６０の充電経路を遮断する充電経路遮断部であり、トランジスタ２は、組電池５０及び６０の放電経路を遮断する放電経路遮断部である。図４の場合、トランジスタ１は、組電池５０及び６０の充電電流が流れる電源経路９ｂを遮断し、トランジスタ２は、組電池５０及び６０の放電電流が流れる電源経路９ｂを遮断する。トランジスタ１，２は、電源経路９ｂの導通／遮断を切り替えるスイッチング素子であり、電源経路９ｂに直列に挿入されている。
【００１８】
トランジスタ１，２は、例えば、ＭＯＳＦＥＴである。トランジスタ１は、トランジスタ１の寄生ダイオードの順方向が組電池５０及び６０の放電方向になるように電源経路９ｂに挿入され、トランジスタ２は、トランジスタ２の寄生ダイオードの順方向が組電池５０及び６０の充電方向になるように電源経路９ｂに挿入される。なお、トランジスタ１，２は、ＩＧＢＴやバイポーラトランジスタなどの他の半導体素子でもよい。また、トランジスタ１，２のドレイン−ソース間（又は、コレクタ−エミッタ間）にダイオードが追加されてもよい。
【００１９】
保護モジュール８０は、組電池５０，６０と同じ個数の電池保護ＩＣ（以下、「保護ＩＣ」という）１０，２０を備える。保護ＩＣ１０，２０のいずれも、組電池５０及び６０の保護動作を行う。保護ＩＣ１０は、組電池５０に並列に接続され、組電池５０の正極と負極との間の電池電圧Ｖ１で動作する集積回路であり、保護ＩＣ２０は、組電池６０に並列に接続され、組電池６０の正極と負極との間の電池電圧Ｖ２で動作する集積回路である。保護ＩＣ１０と２０は、別々のチップで構成され、同じ回路で構成されている。
【００２０】
保護ＩＣ１０の充放電制御部１９は、保護ＩＣ１０の端子１５（ＶＤＤ端子）と端子１３（ＶＳＳ端子）との間の電圧を検出することによって、組電池５０の電池電圧Ｖ１を監視している。同様に、保護ＩＣ２０の充放電制御部２９は、保護ＩＣ２０の端子２５（ＶＤＤ端子）と端子２３（ＶＳＳ端子）との間の電圧を検出することによって、組電池６０の電池電圧Ｖ２を監視している。端子１３，１５は、保護ＩＣ１０用の電源端子であり、端子２３，２５端子は、保護ＩＣ２０用の電源端子である。
【００２１】
端子１５は、電源経路９ｃに接続される正側電源端子であり、端子１３は、電源経路９ｂに接続される負側電源端子である。端子２５は、電源経路９ａに接続される正側電源端子であり、端子２３は、電源経路９ｃに接続される負側電源端子である。
【００２２】
保護モジュール８０は、保護ＩＣ１０の端子１１から、トランジスタ１をオンさせるハイレベルの信号を出力し、トランジスタ１をオフさせるローレベルの信号を出力する。保護ＩＣ１０は、トランジスタ１をオンさせることによって、組電池５０及び６０を充電する方向の電流が電源経路９ｂに流れることを許可し、トランジスタ１をオフさせることによって、組電池５０及び６０を充電する方向の電流が電源経路９ｂに流れることを禁止する。
【００２３】
また、保護モジュール８０は、保護ＩＣ１０の端子１２から、トランジスタ２をオンさせるハイレベルの信号を出力し、トランジスタ２をオフさせるローレベルの信号を出力する。保護ＩＣ１０は、トランジスタ２をオンさせることによって、組電池５０及び６０を放電する方向の電流が電源経路９ｂに流れることを許可し、トランジスタ２をオフさせることによって、組電池５０及び６０を放電する方向の電流が電源経路９ｂに流れることを禁止する。
【００２４】
同様に、保護モジュール８０は、保護ＩＣ２０の端子２１から、トランジスタ１をオンさせるハイレベルの信号を出力し、トランジスタ１をオフさせるローレベルの信号を出力する。図４の場合、端子２１から出力される信号は保護ＩＣ１０の端子１７に入力され、保護ＩＣ２０は、保護ＩＣ１０を介して、トランジスタ１をオン／オフさせる。保護ＩＣ２０は、トランジスタ１をオンさせることによって、組電池５０及び６０を充電する方向の電流が電源経路９ｂに流れることを許可し、トランジスタ１をオフさせることによって、組電池５０及び６０を充電する方向の電流が電源経路９ｂに流れることを禁止する。
【００２５】
また、保護モジュール８０は、保護ＩＣ２０の端子２２から、トランジスタ２をオンさせるハイレベルの信号を出力し、トランジスタ２をオフさせるローレベルの信号を出力する。図４の場合、端子２２から出力される信号は保護ＩＣ１０の端子１６に入力され、保護ＩＣ２０は、保護ＩＣ１０を介して、トランジスタ２をオン／オフさせる。保護ＩＣ２０は、トランジスタ２をオンさせることによって、組電池５０及び６０を放電する方向の電流が電源経路９ｂに流れることを許可し、トランジスタ２をオフさせることによって、組電池５０及び６０を放電する方向の電流が電源経路９ｂに流れることを禁止する。
【００２６】
充放電制御部１９は、所定の第１の過充電検出閾値以上の電池電圧を組電池５０について検知することにより、組電池５０の過充電が検出されたとして、充電異常検出信号を出力する過充電検出回路を有する。充放電制御部１９は、組電池５０についての充電異常検出信号が出力されたとき、トランジスタ１をオフさせるローレベルの信号を端子１１から出力する。
【００２７】
一方、充放電制御部２９は、所定の第２の過充電検出閾値以上の電池電圧を組電池６０について検知することにより、組電池６０の過充電が検出されたとして、充電異常検出信号を出力する過充電検出回路を有する。充放電制御部２９は、組電池６０についての充電異常検出信号が出力されたとき、トランジスタ１をオフさせるローレベルの信号を端子２１から出力する。端子２１から出力される信号は、端子１７を介して、充放電制御部１９に供給される。
【００２８】
したがって、充放電制御部１９は、充放電制御部１９と充放電制御部２９のうち少なくとも一つの制御部から充電異常検出信号が出力されたとき、保護ＩＣ１０の端子１１からローレベルの信号を出力することによって、トランジスタ１をオフする。これにより、トランジスタ２のオン状態／オフ状態にかかわらず、組電池５０及び６０を過充電から保護できる。また、組電池５０と６０のうち一つの組電池のみに充電異常が発生しても、組電池５０と６０の両方の充電を禁止できる。その結果、充電異常が検出された組電池の充電を禁止できるだけでなく、正常な組電池の充電も禁止できる。
【００２９】
また、充放電制御部１９は、所定の第１の過放電検出閾値以下の電池電圧を組電池５０について検知することにより、組電池５０の過放電が検出されたとして、放電異常検出信号を出力する過放電検出回路を有する。充放電制御部１９は、組電池５０についての放電異常検出信号が出力されたとき、トランジスタ２をオフさせるローレベルの信号を端子１２から出力する。
【００３０】
一方、充放電制御部２９は、所定の第２の過放電検出閾値以下の電池電圧を組電池６０について検知することにより、組電池６０の過放電が検出されたとして、放電異常検出信号を出力する過放電検出回路を有する。充放電制御部２９は、組電池６０についての放電異常検出信号が出力されたとき、トランジスタ２をオフさせるローレベルの信号を端子２２から出力する。端子２２から出力される信号は、端子１６を介して、充放電制御部１９に供給される。
【００３１】
したがって、充放電制御部１９は、充放電制御部１９と充放電制御部２９のうち少なくとも一つの制御部から放電異常検出信号が出力されたとき、保護ＩＣ１０の端子１２からローレベルの信号を出力することによって、トランジスタ２をオフする。これにより、トランジスタ１のオン状態／オフ状態にかかわらず、組電池５０及び６０を過放電から保護できる。また、組電池５０と６０のうち一つの組電池のみに放電異常が発生しても、組電池５０と６０の両方の放電を禁止できる。その結果、放電異常が検出された組電池の放電を禁止できるだけでなく、正常な組電池の放電も禁止できる。
【００３２】
なお、充放電制御部１９及び２９は、充電過電流検出回路を有してもよい。充電過電流検出回路は、所定の充電過電流検出閾値以下の負側端子間電圧を検知することにより、組電池５０及び６０を充電する方向の過電流（充電過電流）が検出されたとして、充電異常検出信号を出力する。負側端子間電圧とは、負荷接続端子６とセル接続端子４との間の電圧である。充放電制御部１９は、充放電制御部１９及び充放電制御部２９のうち少なくとも一つの充電過電流検出回路から充電異常検出信号が出力されたとき、保護ＩＣ１０の端子１１からローレベルの信号を出力することによって、トランジスタ１をオフする。これにより、トランジスタ２のオン状態／オフ状態にかかわらず、組電池５０及び６０を充電過電流からも保護できる。
【００３３】
また、充放電制御部１９及び２９は、放電過電流検出回路を有してもよい。放電過電流検出回路は、所定の放電過電流検出閾値以上の負側端子間電圧を検知することにより、組電池５０及び６０を放電する方向の過電流（放電過電流）が検出されたとして、放電異常検出信号を出力する。充放電制御部１９は、充放電制御部１９及び充放電制御部２９のうち少なくとも一つの放電過電流検出回路から放電異常検出信号が出力されたとき、保護ＩＣ１０の端子１２からローレベルの信号を出力することによって、トランジスタ２をオフする。これにより、トランジスタ１のオン状態／オフ状態にかかわらず、組電池５０及び６０を放電過電流からも保護できる。
【００３４】
また、保護ＩＣ１０は、電圧制御部１８を有している。電圧制御部１８は、保護ＩＣ１０の端子１４を介して、定電圧出力回路３０の動作を制御する制御信号Ｖｃを出力する。端子１４は、保護ＩＣ１０が保護ＩＣ１０の外部に設けられた定電圧出力回路３０に対して制御信号Ｖｃを供給するための外部出力端子である。一方、保護ＩＣ２０も同様に、電圧制御部２８を有している。ただし、電圧制御部２８は、保護ＩＣ２０の端子２４を介して、定電圧出力回路３０に接続されていない。
【００３５】
保護モジュール８０は、保護ＩＣ１０の端子１４から供給される制御信号Ｖｃによって定電圧Ｖｒｇを出力する定電圧出力部として、定電圧出力回路３０を備えている。定電圧出力回路３０は、二次電池７０の最大電圧Ｖｉｎ（すなわち、電池電圧Ｖ１と電池電圧Ｖ２の和）が入力される。すなわち、定電圧出力回路３０は、二次電池７０を構成する組電池５０，６０のうち、最も高電位の組電池６０の正極から電力の供給を受けている。定電圧出力回路３０は、組電池６０の正極に接続される電源経路９ａを介して入力される最大電圧Ｖｉｎを降圧変換することによって、最大電圧Ｖｉｎよりも電圧値が低い定電圧Ｖｒｇを生成する。
【００３６】
定電圧出力回路３０から出力される定電圧Ｖｒｇは、保護モジュール８０に実装される負荷４０に供給される。負荷４０は、二次電池７０を構成する組電池５０，６０のうち、最も低電位の組電池５０の負極に接続される電源経路９ｂに接続されている。
【００３７】
このように、図４の構成の場合、保護ＩＣ１０は、組電池５０の電池電圧Ｖ１で動作し、保護ＩＣ２０は、組電池２０の電池電圧Ｖ２で動作し、定電圧出力回路３０は、組電池５０の電池電圧Ｖ１と組電池６０の電池電圧Ｖ２の和である二次電池７０の全体の電池電圧Ｖｉｎで動作している。つまり、定電圧出力回路３０は、二次電池７０を構成する組電池５０，６０のうち一部の組電池の電池電圧で動作する回路ではない。これにより、一部の組電池に蓄えられた容量が偏って減ることを抑えることができるため、組電池５０と組電池６０との間の容量バランスが崩れにくい。容量バランスが崩れにくいため、電池パック１００として利用可能な総容量が低下して充放電効率が低下することを抑えることができる。
【００３８】
図５は、図４の電池パック１００を更に具体的に示した第１の構成例である。
【００３９】
温度検出ＩＣ４１は、定電圧出力回路３０から供給される定電圧Ｖｒｇで動作する負荷である。温度検出ＩＣ４１は、集積回路化された温度検出部であって、電池パック１００内の二次電池７０の温度を検出するものである。
【００４０】
保護ＩＣ１０，２０は、温度検出ＩＣ４１によって検出された温度を用いて、二次電池７０を構成する組電池５０，６０の保護動作を行う。例えば、保護ＩＣ１０，２０の上述の充放電制御部は、温度検出ＩＣ４１によって検出された温度が所定の温度閾値以上のとき、充電異常検出信号又は放電異常検出信号を出力する。充電異常検出信号の出力によりトランジスタ１がオフされることによって、組電池５０及び６０が高温時に充電されることを防止できる。また、放電異常検出信号の出力によりトランジスタ２がオフされることによって、組電池５０及び６０が高温時に放電されることを防止できる。
【００４１】
定電圧出力回路３０は、保護ＩＣ１０の出力端子１４ａから供給される制御信号Ｖｃに従って定電圧Ｖｒｇを生成する定電圧生成部として、抵抗３５とトランジスタ３１の直列回路から構成されるシリーズレギュレータを有している。制御信号Ｖｃは、トランジスタ３１の制御電極（例えば、ゲート又はベース）に入力される。抵抗３５の一方の端部は、電源経路９ａに接続され、抵抗３５のもう一方の端部は、トランジスタ３１の第１の主電極（例えば、ドレイン又はコレクタ）に接続される。トランジスタ３１の第２の主電極（例えば、ソース又はエミッタ）は、定電圧Ｖｒｇが出力される端子であって、温度検出ＩＣ４１の電源端子及び保護ＩＣ１０の入力端子１４ｂに接続される。トランジスタ３１の具体例として、ＭＯＳＦＥＴやバイポーラトランジスタなどの半導体素子が挙げられる。
【００４２】
保護ＩＣ１０は、入力端子１４ｂを介してフィードバックされた定電圧Ｖｒｇが所定の一定電圧になるように、定電圧出力回路３０のトランジスタ３１を制御するための制御信号Ｖｃを生成する電圧制御部１８を有している。
【００４３】
電圧制御部１８は、抵抗１８ａ，１８ｂと、アンプ１８ｃと、基準電圧源１８ｄとを有している。アンプ１８ｃは、抵抗１８ａ，１８ｂによって検出された定電圧Ｖｒｇに応じた検出電圧と、基準電圧源１８ｄの基準電圧との誤差を増幅し、増幅した電圧を、制御信号Ｖｃとして出力する。
【００４４】
定電圧出力回路３０は、定電圧Ｖｒｇが所定値を超えたことを検出した電圧制御部１８から供給される制御信号Ｖｃによって、定電圧Ｖｒｇの出力を停止する。これにより、例えば温度検出ＩＣ４１が短絡故障することによって、過電流が流れることを防止できる。
【００４５】
図６は、図４の電池パック１００を更に具体的に示した第２の構成例である。図５と同様の構成についての説明は省略する。
【００４６】
図６の定電圧出力回路３０は、保護ＩＣの出力端子から供給される制御信号に従って定電圧を生成する定電圧生成部を制御信号毎に有している。すなわち、図６の定電圧出力回路３０は、保護ＩＣ１０の出力端子１４ａから供給される制御信号Ｖｃ１に従って定電圧Ｖｒｇ１を生成する定電圧生成部として、トランジスタ３１を有し、保護ＩＣ２０の出力端子２４ａから供給される制御信号Ｖｃ２に従って定電圧Ｖｒｇ２を生成する定電圧生成部として、トランジスタ３２を有している。
【００４７】
制御信号Ｖｃ１は、トランジスタ３１の制御電極（例えば、ゲート又はベース）に入力され、制御信号Ｖｃ２は、トランジスタ３２の制御電極（例えば、ゲート又はベース）に入力される。トランジスタ３２の第１の主電極は、電源経路９ａに接続される。トランジスタ３２の第２の主電極は、定電圧Ｖｒｇ２が出力される端子であって、トランジスタ３１の第１の主電極及び保護ＩＣ２０の入力端子２４ｂに接続される。トランジスタ３１の第２の主電極は、定電圧Ｖｒｇ１が出力される端子であって、温度検出ＩＣ４１の電源端子及び保護ＩＣ１０の入力端子１４ｂに接続される。トランジスタ３１，３２の具体例として、ＭＯＳＦＥＴやバイポーラトランジスタなどの半導体素子が挙げられる。
【００４８】
保護ＩＣ１０は、入力端子１４ｂを介してフィードバックされた定電圧Ｖｒｇ１が所定の一定電圧になるように、定電圧出力回路３０のトランジスタ３１を制御するための制御信号Ｖｃ１を生成する電圧制御部１８を有している。また、保護ＩＣ２０は、入力端子２４ｂを介してフィードバックされた定電圧Ｖｒｇ２が所定の一定電圧になるように、定電圧出力回路３０のトランジスタ３２を制御するための制御信号Ｖｃ２を生成する電圧制御部２８を有している。電圧制御部１８，２８の構成は、図５で示した構成と同様である。
【００４９】
図６の構成によれば、最大電圧Ｖｉｎから定電圧Ｖｒｇ１を引いた差電圧がトランジスタ３１と３２で分圧されるので、トランジスタ３１，３２に耐圧の低い素子を使用できる。また、トランジスタ３１が短絡故障しても、保護ＩＣ２０が、制御信号Ｖｃ２によってトランジスタ３２をオフさせることにより過電流が流れることを防止でき、トランジスタ３２が短絡故障しても、保護ＩＣ１０が、制御信号Ｖｃ１によってトランジスタ３１をオフさせることにより過電流が流れることを防止できる。これにより、トランジスタ３１，３２の短絡故障に対する安全性が向上する。
【００５０】
以上、本発明の好ましい実施例について詳説したが、本発明は、上述した実施例に制限されることはなく、本発明の範囲を逸脱することなく、上述した実施例に種々の変形、改良、置換及び組み合わせを行うことができる。
【００５１】
例えば、二次電池７０を構成する組電池の直列数が２つの場合を例示したが、３つ以上の場合も同様に考えることができる。また、トランジスタ１とトランジスタ２は、図示の配置位置を互いに置換してもよい。
【００５２】
また、上述の実施例は、充電制御用トランジスタ１及び放電制御用トランジスタ２が負側の電源経路９ｂに挿入された形態であった。しかしながら、充電制御用トランジスタ１及び放電制御用トランジスタ２が正側の電源経路９ａに挿入された形態でもよい。
【００５３】
また、上述の定電圧出力回路３０は、定電圧を出力する降圧回路であったが、定電圧を出力する昇圧回路でもよい。
【００５４】
また、上述の負荷４０は、温度検出ＩＣに限らず、他の負荷でもよい。例えば、二次電池７０の残容量を監視する残量ＩＣでもよいし、個々の電池パックを識別するための認証ＩＣでもよい。
【符号の説明】
【００５５】
１  充電制御用トランジスタ
２  放電制御用トランジスタ
３，４，７  セル接続端子
５，６  負荷接続端子
１０，２０，１１０，１２０  電池保護ＩＣ
１１〜１７，２１〜２７  外部端子
３０  定電圧出力回路
４０，１４０  負荷
５０，６０  組電池
７０，１５０，１６０，１７０  二次電池
８０  保護モジュール
９０  外部負荷
１００  電池パック
【図１】
0005891809.tif 000002
【図２】
0005891809.tif 000003
【図３】
0005891809.tif 000004
【図４】
0005891809.tif 000005
【図５】
0005891809.tif 000006
【図６】
0005891809.tif 000007